(57)【特許請求の範囲】
【請求項１】
永久磁石が挿入される空間を形成する磁石挿入孔と、前記空間に面しておりかつ前記磁石挿入孔の一部を形成する非磁性部と、を有する回転子鉄心を備え、
前記非磁性部は、d軸に対して非対称に設けられ、
前記磁石挿入孔は、第１永久磁石が挿入される第１空間を形成する第１磁石挿入孔と、第２永久磁石が挿入される第２空間を形成する第２磁石挿入孔と、により構成され、
前記非磁性部は、前記第１空間に面しておりかつ前記第１磁石挿入孔の一部を形成する第１非磁性部と、前記第２空間に面しておりかつ前記第２磁石挿入孔の一部を形成する第２非磁性部と、により構成され、
前記第１非磁性部は、前記d軸に対して前記第２非磁性部よりも周方向に大きく形成さ
れる回転電機の回転子。
【請求項２】
請求項１に記載の回転電機の回転子であって、
前記非磁性部が、前記ｄ軸中心から電気角で12度乃至38度の位置に設けられる回転電機の回転子。
【請求項３】
請求項１または２に記載の回転電機の回転子において、
前記回転子鉄心は、前記非磁性部の位置が異なる鋼板を交互に積層して構成される回転電機の回転子。
【請求項４】
請求項１乃至３のいずれかに記載の回転子と、
前記回転子の外周側に空隙を介して設けられた固定子と、を備えた回転電機。
【発明の詳細な説明】
【技術分野】
【０００１】
本発明は回転子に界磁源となる永久磁石を有する回転電機の回転子及びそれを用いた回転電機に関する。
【背景技術】
【０００２】
電気自動車やハイブリッド車等に搭載される回転電機には、トルクリプルの低減が要求されている。例えば特許文献１においては、トルクリプルを低減することを目的として、永久磁石と外周部との間に孔部が設けられた回転電機の固定子構造が開示されている。
【先行技術文献】
【特許文献】
【０００３】
【特許文献１】特開２００８−２７８５９１号公報
【発明の概要】
【発明が解決しようとする課題】
【０００４】
しかしながら、特許文献１のように永久磁石と外周部との間に孔部を設けた場合、回転子外周と永久磁石との間の鉄心幅が極端に狭い個所ができることがあり、高速回転時の強度低下やトルク低下につながる可能性がある。
【０００５】
本発明の目的は、高速回転における強度の悪化を抑えつつ、トルクリプルを低減した回転電機を提供することにある。
【課題を解決するための手段】
【０００６】
上記課題を解決するため、本発明に係る回転電機の回転子は、永久磁石が挿入される空間を形成する磁石挿入孔と、前記空間に面しておりかつ前記磁石挿入孔の一部を形成する非磁性部と、を有する回転子鉄心を備え、前記非磁性部は、d軸に対して非対称に設けられる。
【発明の効果】
【０００７】
本発明ニよれば、高速回転における強度の悪化を抑えつつ、トルクリプルを低減することができる。上記した以外の課題、構成および効果は以下の実施形態の説明により明らかにされる。
【図面の簡単な説明】
【０００８】
【図１】実施形態１に係り、図６の領域８０を拡大した拡大図である。
【図２】実施形態１による回転電機と従来の回転電機についてトルクリプル波形を示す図である。
【図３】実施形態１による回転電機の変形例について回転子１極分を拡大した拡大図である。
【図４】実施形態２による回転電機の回転子１０の１極分を拡大した図である。
【図５】実施形態２による回転電機と従来の回転電機についてトルクリプル振幅を示す図である。
【図６】実施形態１による回転電機の軸方向から見た断面を示す断面図である。
【図７】実施形態３による回転電機の回転子１１を示す図である。
【図８】実施形態３に係り、回転子鉄心２０を構成する鋼板３００について１極分の拡大図を示したものである。
【図９】実施形態３に係り、回転子鉄心２０を構成する鋼板３１０について１極分の拡大図を示したものである。
【図１０】従来の回転電機１００について主要部分を示す図である。
【図１１】従来の回転電機１００の軸方向断面図である。
【図１２】従来の回転電機１００の回転子１０の外観図である。
【図１３】従来の回転電機１００の回転子１０の１極分を拡大した図である。
【図１４】従来の回転電機１００の他の構成に係る回転子１０の１極分を拡大した図である。
【発明を実施するための形態】
【０００９】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【００１０】
図１０は、従来の回転電機１００について主要部分を示す図である。図１０は、回転電機１００を径方向から見た図であり、回転軸（一点鎖線で図示される）に関して一方側のみ図示している。図１１は、図１０のＡ−Ａ’断面における軸方向断面図である。図１２に回転子鉄心２０の外観図を示す。図１３は従来の回転電機１００について図１１中の領域８０における構成を示した拡大図である。
【００１１】
図１０に示されるように、回転電機１００は、回転子１０と、回転子鉄心２０と、固定子３０と、固定子鉄心４０と、電機子巻線５０と、永久磁石６０と、シャフト７０と、を備える。
【００１２】
図１１に示されるように固定子鉄心４０には周方向に概ね等間隔に固定子スロット４１が複数配置され、図１０に示すように固定子スロット４１内に固定子巻線５０が巻き回されている。図１２に示されるように、固定子鉄心４０の内周側に同心に配置される回転子１０と、前記回転子１０に周方向に概ね等間隔に永久磁石６０が複数配置されている。図１３に示されるように、永久磁石６０は回転子鉄心２０に設けられた磁石挿入孔１２０に挿入されている。１１０は、ｄ軸を示す。
【００１３】
なお、図１４のように周方向に磁石挿入孔１２０が２分割され、永久磁石６０が１極あたり周方向に２つ配置されて構成される場合もある。
【００１４】
以下の実施例では、回転子の１極分の領域８０について示し、構成を説明する。他の極についても対称に構成することで本発明の効果を得ることができる。
【００１５】
また、以下の実施例において回転方向は図１１と同様に反時計方向であるものとする。
【実施例１】
【００１６】
図６は、実施形態１による回転電機の軸方向から見た断面を示す断面図である。図１は、実施形態１に係り、図６の領域８０を拡大した拡大図である。
【００１７】
回転子１０は、回転子鉄心２０と、永久磁石６０と、シャフト７０（図１０参照）とにより構成されている。回転子鉄心２０は、複数の鋼板が積層されて構成される。複数の鋼板は、打ち抜きなどによって磁石挿入孔１２０がそれぞれ設けられている。永久磁石６０は、この磁石挿入孔１２０に収納される。回転子１０の外周側には図示しない固定子３０が配置される（図１０参照）。
【００１８】
回転子鉄心２０には、磁石挿入孔１２０と連通した非磁性部１３０が設けてある。別の言い方をすると、非磁性部１３０は、磁石挿入孔１２０により形成される空間に面した位置に配置されかつ磁石挿入孔１２０の一部を形成する。
【００１９】
本実施形態では図６に示すように、回転子１０の回転方向は反時計方向であり、この反時計方向は電動機として運転される方向であると定義する。図１に示すように非磁性部１３０の位置は、磁極の中心であるｄ軸１１０から回転方向進み側としてある。電動機が運転される場合、回転子１０の回転進み側の磁束密度が高く、非磁性部１３０を回転進み側に設けることにより、トルクリプルに及ぼす影響が大きい。
【００２０】
非磁性部１３０は磁石挿入孔１２０と連通しており、鋼板から打ち抜く際に一体で形成することで製造性を低下させることなく設けることが可能である。
【００２１】
非磁性部１３０を磁石挿入孔１２０と連通して設けることにより、外周部での空気抵抗による損失増加はなく、潤滑や冷却のために油に浸漬される場合においても撹拌による損失が増加することはない。
【００２２】
また、回転子鉄心２０の外周と永久磁石６０との間には鉄心幅が極端に狭い個所を作らず非磁性部１３０を設けてあり、高速回転における強度が確保されるとともに、磁束を妨げることもないためトルクの低下を避けることができる。
【００２３】
図２はトルクリプル波形の計算結果である。非磁性部１３０を設けない場合の波形２００に対して、非磁性部１３０を設けた場合の波形２１０の振幅は小さくなり、トルクリプルが低減されている。一方、両者のトルクの平均値はほとんど変わらない。トルクリプルの要因は、図６に示される固定子スロット４１による磁気抵抗の変化であるが、本実施形態のように磁石挿入孔１２０と連通した非磁性部を設けたことにより、磁気抵抗の急峻な変化が緩和され、図２に見られるように、トルクの平均値を維持しながらトルクリプルを低減することができる。
【００２４】
図３は、実施形態１による回転電機の変形例について回転子１極分を拡大した拡大図である。磁石挿入孔は、周方向であってｄ軸１１０の境に、第１磁石挿入孔１２０ａと第２磁石挿入孔１２０ｂに２分割されている。そして、第１永久磁石６０ａが第１磁石挿入孔１２０ａに収納され、第２永久磁石６０ｂが第２磁石挿入孔１２０ｂに収納される。
【００２５】
非磁性部１３１は、回転方向進み側である第１磁石挿入孔１２０ａに連通した状態で形成される。非磁性部１３２は、回転方向遅れ側である第２磁石挿入孔１２０ｂに連通した状態で形成される。非磁性部１３１は、周方向において、非磁性部１３２よりも大きく形成される。これにより、効果的にトルクリプルを低減することができる。
【００２６】
なお非磁性部１３０ないし１３２が配置される場所には、磁石挿入孔１２０と連通していることから、永久磁石６０を保持するために、樹脂等を充填してもよい。
【実施例２】
【００２７】
図４は、実施形態２による回転電機の回転子１０の１極分を拡大した図である。
【００２８】
本実施形態では回転方向は反時計方向、つまり電動機として運転される方向を想定し、非磁性部１３０の周方向位置を磁極の中心であるｄ軸１１０から回転進み方向へ電気角でφ１＝１２°からφ２＝３８°の範囲内としている。電動機運転される場合、回転子１０の回転進み側の磁束密度が高く、非磁性部１３０を回転進み側に設けることにより、トルクリプルに及ぼす影響が大きい。
【００２９】
図５に非磁性部１３０の回転進み側端と回転遅れ側端のｄ軸からの電気角で示した位置とトルクリプル振幅の関係を示した。非磁性部１３０の回転進み側端位置によるトルクリプル振幅２２０ではｄ軸から１２°未満で、非磁性部１３０の回転遅れ側端位置によるトルクリプル振幅２３０はｄ軸から３８°よりも大きくなるとそれぞれ非磁性部を設けない場合のトルクリプル振幅２４０を上回ることが分かる。
【００３０】
本実施の形態では、非磁性部１３０の周方向位置をｄ軸１１０から回転進み方向へ電気角で１２°から３８°の範囲内にしたことにより、効果的にトルクリプルを低減することが可能である。
【実施例３】
【００３１】
図７は、実施形態３による回転電機の回転子１１を示す図である。図７に示すように回転子鉄心２０は、鋼板３００と鋼板３１０を交互に複数積層して構成される。
【００３２】
図８は、実施形態３に係り、回転子鉄心２０を構成する鋼板３００について１極分の拡大図を示したものである。図９は、実施形態３に係り、回転子鉄心２０を構成する鋼板３１０について１極分の拡大図を示したものである。
【００３３】
鋼板３００は、非磁性部１３３が鋼板３１０の非磁性部１３４よりも回転進み側に配置されるように形成される。鋼板３１０は、非磁性部１３４が鋼板３００の非磁性部１３３よりも回転遅れ側に配置されるように形成される。
【００３４】
図８と図９を比較すると、図８が回転進み側へやや幅の広い非磁性部１３３を設けた断面図であり、図９は回転遅れ側へやや幅の狭い非磁性部１３４を設けた断面図である。これらを交互に積層することで、回転子鉄心２０の特性としては両断面の中間的な特性を得ることができる。
【００３５】
本実施形態によれば、電源からの影響などによりトルクにスロット以外の高調波の影響が重畳している場合に所望の次数成分を低減させることができる。
【００３６】
なお、非磁性部の周方向位置と組み合わせる枚数は所望の特性に合わせて計算、測定に基づいて決め、積層も１枚ごとに限らず複数枚ごとの積層としてもよい。また、永久磁石の保持強度を確保するために、積層する鋼板の何枚かを非磁性部を設けない構成としてもよい。
【符号の説明】
【００３７】
１０…回転子、２０…回転子鉄心、３０…固定子、４０…固定子鉄心、４１…固定子スロット、５０…電機子巻線、  ６０…永久磁石、６０ａ…第１永久磁石、６０ｂ…第２永久磁石、７０…シャフト、８０…領域、１００…回転電機、１１０…ｄ軸、１２０…磁石挿入孔、１２０ａ…第１磁石挿入孔、１２０ｂ…第２磁石挿入孔、１３０…非磁性部、１３１…非磁性部、１３２…非磁性部、２００…非磁性部１３０を設けない場合のトルク波形、２１０…非磁性部１３０を設けた場合のトルク波形、２２０…非磁性部の回転進み側端位置によるトルクリプル振幅、２３０…非磁性部の回転遅れ側端位置によるトルクリプル振幅、２４０…非磁性部を設けない場合のトルクリプル振幅、３００…鋼板、３１０…鋼板
【図１】
0006382085.tif 000002
【図２】
0006382085.tif 000003
【図３】
0006382085.tif 000004
【図４】
0006382085.tif 000005
【図５】
0006382085.tif 000006
【図６】
0006382085.tif 000007
【図７】
0006382085.tif 000008
【図８】
0006382085.tif 000009
【図９】
0006382085.tif 000010
【図１０】
0006382085.tif 000011
【図１１】
0006382085.tif 000012
【図１２】
0006382085.tif 000013
【図１３】
0006382085.tif 000014
【図１４】
0006382085.tif 000015